(57)【要約】【課題】掻き心地が良く、安全性の高い耳掻きを提供する。【解決手段】柄部２と、柄部２の先端部に一体に形成される湾曲形状の耳掻き部３とを備える。柄部２と耳掻き部３との間の境界部４は、他の部分よりも断面積が小さく形成され、弾力性（ばね性）が付加される。耳掻き部３を耳孔の内面に強く押し当てても、境界部４が弾性変形することにより、その力を緩和させることができるので、耳孔の内面に傷等を付けるのを防止できる。また、押し当て力の不足により耳垢の除去が困難になるようなこともなく、良好な掻き心地と安全性の両方を満足させることができる。【選択図】　　　　図１
2004073737.tif 000002
【特許請求の範囲】
【請求項１】
柄部と、該柄部の先端部に一体に形成される湾曲形状の耳掻き部とを備えた耳掻きにおいて、前記柄部と前記耳掻き部との間の境界部に弾力性を付加したことを特徴とする耳掻き。
【請求項２】
前記柄部と前記耳掻き部との境界部を他の部分よりも薄く形成して、その部分に弾力性を付加したことを特徴とする請求項１に記載の耳掻き。
【請求項３】
前記柄部と前記耳掻き部との境界部を他の部分よりも小幅に形成して、その部分に弾力性を付加したことを特徴とする請求項１に記載の耳掻き。
【請求項４】
前記柄部と前記耳掻き部との境界部を他の部分よりも細く形成して、その部分に弾力性を付加したことを特徴とする請求項１に記載の耳掻き。
【請求項５】
前記柄部と前記耳掻き部との境界部の断面積を他の部分よりも小さく形成して、その部分に弾力性を付加したことを特徴とする請求項１に記載の耳掻き。
【発明の詳細な説明】
【０００１】
【発明の属する技術分野】
本発明は、耳掻きに関し、特に、掻き心地が良く、安全性の高い耳掻きに関するものである。
【０００２】
【従来の技術】
従来の耳掻きの一例を図２に示す。すなわち、この耳掻き１１は、竹、金属、プラスチック等を素材として形成されるものであって、板状の柄部１２と、柄部１２の先端部に一体に形成される湾曲形状の耳掻き部１３とを備えている。
【０００３】
そして、このような構成の耳掻き１１によって耳垢を掻き出すには、柄部１２を手で持って耳掻き部１３を耳孔内に挿入し、耳掻き部１３を耳孔内の耳垢に押し当て、柄部１２を引き出せば良いものである。
【０００４】
【発明が解決しようとする課題】
しかしながら、上記のような構成の従来の耳掻き１１にあっては、柄部１２に弾力性がなく全体が硬く形成されているために、柄部１２を手で操作する場合の力の加減が非常に難しく、力を入れ過ぎた場合には耳掻き部１３が耳孔の内面に強く押し当てられて傷を付けてしまったり、力が足りない場合には耳垢を綺麗に除去できなかったりする不具合があり、掻き心地が悪く、安全性にも問題があった。
【０００５】
一方、上記のような問題を解決した耳掻きが特開平６−３４３５７２号公報に記載されている。すなわち、この耳掻きは、柄部と耳掻き部とを弾力性のある素材で連結し、弾力性のある素材の弾性変形により、耳掻き部から耳孔の内面に加わる力を和らげるように構成したものである。
【０００６】
しかしながら、このような構成の耳掻きにあっては、弾力性のある素材と柄部及び耳掻き部との接合状態の如何によっては、使用中に接合部から耳掻きが折れてしまい、折れ片が耳孔内に取り残されてしまう危険性があり、安全性の面で問題があった。
【０００７】
本発明は、上記のような従来のもののもつ問題を解決したものであって、掻き心地が良く、安全性が高い耳掻きを提供することを目的とするものである。
【０００８】
【課題を解決するための手段】
上記のような課題を解決するために、本発明の請求項１に係る耳掻きは、柄部と、該柄部の先端部に一体に形成される湾曲形状の耳掻き部とを備えた耳掻きにおいて、前記柄部と前記耳掻き部との間の境界部に弾力性を付加した手段を採用したものである。
また、請求項２に係る耳掻きは、請求項１に記載の耳掻きにおいて、前記柄部と前記耳掻き部との境界部を他の部分よりも薄く形成して、その部分に弾力性を付加した手段を採用したものである。
さらに、請求項３に係る耳掻きは、請求項１に記載の耳掻きにおいて、前記柄部と前記耳掻き部との境界部を他の部分よりも小幅に形成して、その部分に弾力性を付加した手段を採用したものである。
さらに、請求項４に係る耳掻きは、請求項１に記載の耳掻きにおいて、前記柄部と前記耳掻き部との境界部を他の部分よりも細く形成して、その部分に弾力性を付加した手段を採用したものである。
さらに、請求項５に係る耳掻きは、請求項１に記載の耳掻きにおいて、前記柄部と前記耳掻き部との境界部の断面積を他の部分よりも小さく形成して、その部分に弾力性を付加した手段を採用したものである。
【０００９】
【作用】
本発明は、前記のような手段を採用したことにより、柄部と耳掻き部との間の境界部は、他の部分よりも薄く形成したり、他の部分よりも小幅に形成したり、他の部分よりも細く形成したり、他の部分よりも断面積を小さく形成したりすることにより、その部分に弾力性が付加されることになる。従って、耳掻き部を耳孔の内面に強く押し当てても、境界部が弾性変形することによりその力を緩和させることができるので、耳掻き部で耳孔の内面に傷を付けたり、押し当てる力が不足して耳垢の取り出しが困難になるようなことはない。
【００１０】
【発明の実施の形態】
以下、図面に示す本発明の実施の形態について説明する。
図１には、本発明による耳掻きの一実施の形態が示されていて、この耳掻き１は、丸棒状の柄部２と、柄部２の先端部に設けられる湾曲形状（略Ｃ形状等）の耳掻き部３とを備えている。
【００１１】
柄部２及び耳掻き部３は、ばね性を有する金属又は合成樹脂を素材として一体に形成されるものであって、金属としては、β形チタン合金、ニッケルチタン合金等が挙げられ、合成樹脂としては、ポリフェニール・サルフォン等が挙げられる。但し、これらに限定することなく、同様の特性を有するものであれば良い。
【００１２】
柄部２と耳掻き部３との境界部４は、他の部分（柄部及び耳掻き部）よりも細い丸棒状に形成され、他の部分よりも柔らかく形成され、他の部分よりも柔らかい弾力性（ばね性）が付加されている。
【００１３】
そして、上記のように構成したこの実施の形態による耳掻き１によって耳孔内の耳垢を掻き出すには、耳掻きの柄部２を手で持って耳掻き部３を耳孔内に挿入し、耳掻き部３の先端部を耳孔の内面に押し当て、柄部２を耳孔から引き出せば良いものである。
【００１４】
この場合、力の加減を誤って耳掻き部３を耳孔の内面に強く押し当ててしまっても、境界部４には弾力性が付加されているので、その部分が弾性変形することにより、耳孔の内面に加わる力を緩和させることができることになる。従って、耳孔の内面に耳掻き部３で傷を付けるようなことはなく、安全性を高めることができることになる。また、耳掻き部３を耳孔の内面に押し当てる力が不足し、耳垢を掻き出すことが困難になるようなことがなく、良好な掻き心地が得られることになる。さらに、耳掻き部３と柄部２とは、同一素材を用いて一体に形成されているので、製造中の熱による鈍りや接着不良等によって使用中に途中から折れてしまい、折れ片が耳孔内に取り残されてしまうようなことはなく、安全性を高めることができることになる。
【００１５】
なお、前記の説明においては、柄部２を丸棒状に形成し、境界部４をそれよりも細い丸棒状に形成したが、図示はしないが、柄部を四角、六角、八角等の角棒状等に形成し、境界部をそれよりも細い四角、六角、八角等の角棒状に形成しても良い。要は、境界部の断面積を他の部分（柄部及び耳掻き部）の断面積よりも小さく形成し、その部分に弾力性を付加すれば良い。そして、その場合にも前記したものと同様の作用効果を奏するのは勿論のことである。
【００１６】
【発明の効果】
本発明は、前記のように構成して、柄部と耳掻き部との間の境界部に弾力性を付加したので、力の加減を誤って耳掻き部を耳孔の内面に強く押し当ててしまっても、境界部が弾性変形することによりその力を緩和させることができることになる。従って、耳掻き部で耳孔の内面に傷を付けるようなことがなくなり、また押し当てる力が不足して耳垢の取り出しが困難になるようなことはなくなり、良好な掻き心地と安全性の両方を満足させることができることになる。また、耳掻き部と柄部とは一体に形成されているので、使用中に途中から折れてしまって折れ片が耳孔内に取り残されてしまうようなことはなく、安全性を高めることができることになる。
【図面の簡単な説明】
【図１】本発明による耳掻きの一実施の形態を示した概略図である。
【図２】従来の耳掻きの一例を示した概略図である。
【符号の説明】
１、１１……耳掻き
２、１２……柄部
３、１３……耳掻き部
４……境界部
【図１】
2004073737.tif 000003
【図２】
2004073737.tif 000004